(57)【要約】【課題】検出対象の形状または性状に適した断層画像を生成することができる画像再構成装置およびＸ線断層画像撮像装置を提供する。【解決手段】被検体の投影データを生成する走査ガントリ１１と、再構成装置２に、投影データを基に、異なる検出対象の形状および性状またはいずれか一方に適した画像処理を行いながら、検出対象の形状および性状またはいずれか一方を強調して断層画像を生成する複数の検出プログラムＰＲＧを記憶する記憶部２２と、記憶部２２が記憶する複数の画像再構成プログラムＰＲＧから、少なくとも１つの画像再構成プログラムＰＲＧを選択する選択部２１１と、選択部２１１が選択した画像再構成プログラムＰＲＧを実行し、走査ガントリ１１から出力された被検体ｈの投影データＳＤを用いて、断層画像Ｖを生成する再構成部２１２とを設ける。【選択図】  図２
2004298540.tif 000002
【特許請求の範囲】
【請求項１】
被検体をスキャンして得られた投影データから断層画像を再構成する画像再構成装置であって、
異なる検出対象の形状および性状またはいずれか一方に適した画像処理を行いながら断層画像を再構成する複数の画像再構成プログラムを記憶する記憶手段と、
前記記憶手段が記憶している複数のプログラムのうちの指定された画像再構成プログラムを用いて、前記投影データを用いて画像処理して断層画像を再構成する画像再構成手段と
を有する画像再構成装置。
【請求項２】
前記記憶手段に記憶されている画像再構成プログラムは、
前記被検体をスキャンして生成した前記投影データについて、前記検出対象の形状および性状またはいずれか一方を強調して前記断層画像を再構成する処理内容を含み、
前記画像再構成手段は、指定された前記画像再構成プログラムを実行して、前記投影データについて前記強調した断層画像を再構成する
請求項１に記載の画像再構成装置。
【請求項３】
前記記憶手段に記憶されている第１検出対象用画像再構成プログラムは、前記被検体をスキャンして生成した前記投影データについてエッジ強調処理を行うとともに、第１検出対象の形状および性状またはいずれか一方を強調して第１検出対象用画像を再構成する処理内容を含み、
前記画像再構成手段は、指定された前記第１検出対象用画像再構成プログラムを実行して、前記投影データについて前記強調した第１検出対象用画像を再構成する
請求項１に記載の画像再構成装置。
【請求項４】
前記記憶手段に記憶されている第２検出対象用画像再構成プログラムは、前記被検体をスキャンして生成した投影データについてスムージング処理を行うとともに、第２検出対象の形状および性状またはいずれか一方を強調して、第２検出対象画像を再構成する処理内容を含み、
前記画像再構成手段は、指定された前記第２検出対象用画像再構成プログラムを実行して、前記投影データについて前記強調した第２検出対象用画像を再構成する
請求項１に記載の画像再構成装置。
【請求項５】
前記記憶手段が記憶する複数の画像再構成プログラム少なくとも１つの画像再構成プログラムを指定する指定手段を有し、
前記画像再構成手段は、前記指定手段が指定した画像再構成プログラムを実行して、前記投影データについて前記強調した断層画像を再構成する
請求項１に記載の画像再構成装置。
【請求項６】
前記画像再構成手段で再構成し前記断層画像を医療診断支援装置に出力する出力手段を有する
請求項１〜５のいずれかに記載の画像再構成装置。
【請求項７】
Ｘ線を用いて被検体をスキャンして投影データを生成する投影データ生成手段と、
異なる検出対象の形状および性状またはいずれか一方に適した画像処理を行いながら断層画像を再構成する複数の画像再構成プログラムを記憶する記憶手段と、
前記記憶手段が記憶している複数のプログラムのうちの指定された画像再構成プログラムを用いて、前記投影データ生成手段が生成した前記投影データを用いて断層画像を再構成する画像再構成手段と
を有するＸ線断層画像撮像装置。
【請求項８】
前記記憶手段に記憶されている画像再構成プログラムは、
前記投影データ生成手段が生成した前記投影データについて、前記検出対象の形状および性状またはいずれか一方を強調して前記断層画像を再構成する処理内容を含み、
前記画像再構成手段は、指定された前記画像再構成プログラムを実行して、前記投影データ生成手段が生成した前記投影データについて前記強調した断層画像を再構成する
請求項７に記載のＸ線断層画像撮像装置。
【発明の詳細な説明】
【０００１】
【発明の属する技術分野】
本発明は、例えば、Ｘ線断層画像撮像装置としてＣＴ（Ｃｏｍｐｕｔｅｄ  ｔｏｍｏｇｒａｐｈｙ  ）装置や、ＭＲＩ（Ｍａｇｎｅｔｉｃ  ｒｅｓｏｎａｎｃｅ  ｉｍａｇｉｎｇ）装置等による被検体の投影データに基づいて画像再構成処理を行い断層画像を生成する画像再構成装置およびＸ線断層画像撮像装置に関するものである。
【０００２】
【従来の技術】
近年、例えば、被検体を撮像し、投影データに基づいて画像再構成装置で画像再構成処理を行い所定位置の断層画像を生成するＣＴ装置やＭＲＩ装置等の医用撮像装置と、その断層画像に基づいて所定のアルゴリズムで異常領域候補を検出し医師に提示するコンピュータ支援診断装置（ＣＡＤ：Ｃｏｍｐｕｔｅｒ−ａｉｄｅｄ  ｄｉａｇｎｏｓｉｓ）とを有する医療システムが知られている。コンピュータ支援診断装置としては、例えば、特許文献１参照。
【０００３】
【特許文献１】
特開平１−１２５６７５号公報
【発明が解決しようとする課題】
上述した医療システムでは、医用撮像装置が再構成処理により生成した所定位置の断層画像に基づいて、ＣＡＤが異常領域候補の検出処理を行う場合に、病気の種類、例えば肺がんの結節状陰影やすりガラス状陰影等の検出対象の形状または性状により検出率が異なり、改善が望まれている。
【０００４】
本発明は、かかる事情に鑑みてなされたものであり、その目的は、検出対象の形状または性状に適した断層画像を生成することができる画像再構成装置、およびＸ線断層画像撮像装置を提供することにある。
【０００５】
【課題を解決するための手段】
前記目的を達成するために、本発明の第１の観点は、被検体をスキャンして得られた投影データから断層画像を再構成する画像再構成装置であって、異なる検出対象の形状および性状またはいずれか一方に適した画像処理を行いながら断層画像を再構成する複数の画像再構成プログラムを記憶する記憶手段と、前記記憶手段が記憶している複数のプログラムのうちの指定された画像再構成プログラムを用いて、前記投影データを用いて断層画像を再構成する画像再構成手段とを有する。
【０００６】
本発明の第１の観点によれば、記憶手段では、異なる検出対象の形状および性状またはいずれか一方に適した画像処理を行いながら断層画像を再構成する複数の画像再構成プログラムを記憶する。
画像再構成手段では、記憶手段が記憶している複数のプログラムのうちの指定された画像再構成プログラムを用いて、投影データを用いて断層画像を再構成する。
【０００７】
さらに、前記目的を達成するために、本発明の第２の観点は、Ｘ線を用いて被検体をスキャンして投影データを生成する投影データ生成手段と、異なる検出対象の形状および性状またはいずれか一方に適した画像処理を行いながら断層画像を再構成する複数の画像再構成プログラムを記憶する記憶手段と、前記記憶手段が記憶している複数のプログラムのうちの指定された画像再構成プログラムを用いて、前記投影データ生成手段が生成した前記投影データを用いて断層画像を再構成する画像再構成手段とを有する。
【０００８】
【発明の実施の形態】
図１は、本発明に係る画像再構成装置を採用した医療システムの一実施形態の全体図構成図である。
本実施系形態に係る画像再構成装置を採用した医療システム１００は、例えば図１に示すように、医用撮像装置としてのＸ線ＣＴ装置１、およびコンピュータ支援診断装置（ＣＡＤとも言う）３を有する。
ＣＴ装置１は本発明に係るＸ線断層画像撮像装置に相当し、ＣＴ装置１は本発明に係る画像再構成装置２を含む。コンピュータ支援診断装置３は本発明に係る医療診断支援装置に相当する。
【０００９】
ＣＴ装置１は、例えば図１に示すように、走査ガントリ（ｇａｎｔｒｙ）１１、操作コンソール１２、および撮影テーブル１３を有する。
走査ガントリ１１は本発明に係る撮像データ生成手段に相当する。
【００１０】
走査ガントリ１１は、Ｘ線管１１１、コリメータ１１２、検出器アレイ１１３、データ収集部１１４、Ｘ線コントローラ１１５、コリメータコントローラ１１６、回転部１１７、および回転コントローラ１１８を有する。
【００１１】
Ｘ線管１１１は、放射線源としてＸ線を照射する。コリメータ１１２は、Ｘ線管１１１が照射したＸ線を、例えば扇状のＸ線ビームすなわちファンビーム（Ｆａｎ  ｂｅａｍ）となるように成形し被検体ｈを介して検出器アレイ１１３に照射する。
検出器アレイ１１３は、扇状のＸ線ビームの幅方向にアレイ状に配列された複数のＸ線検出素子を有し、検出した信号をデータ収集部１１４に出力する。データ収集部１１４は、検出器アレイ１１３が出力した信号を操作コンソール１２に出力する。
【００１２】
Ｘ線コントローラ１１５は、操作コンソール１２の制御により、Ｘ線管１１１の照射出力等を制御する。コリメータコントローラ１１６は、操作コンソール１２の制御により、例えばコリメータ１１２のアパーチャの開度を調整して、Ｘ線管１１１が照射したＸ線を所定の幅、および厚さのＸ線ビームを被検体ｈに照射させる。
【００１３】
回転部１１７は、回転コントローラ１１８の制御により所定の方向に回転する。回転部１１７には、Ｘ線管１１１、コリメータ１１２、検出器アレイ１１３、データ収集部１１４、Ｘ線コントローラ１１５、およびコリメータコントローラ１１６が搭載されており、これらの構成要素は、回転部１１７の回転に伴い、Ｘ線照射空間１１９に搬入される被検体ｈに対する位置関係が変化する。
回転コントローラ１１８は、操作コンソール１２からの制御信号により、回転部１１７を制御し、所望の回転数だけ回転させる。
【００１４】
操作コンソール１２は、中央処理装置１２１、データ収集バッファ１２２、入力装置１２３、表示装置１２４、記憶装置１２５、制御インタフェース１２６、通信インタフェース（Ｉ／Ｆ）１２７、および画像再構成装置２を主構成要素として有する。
【００１５】
中央処理装置１２１は、例えばマイクロコンピュータ等により構成され、入力装置１２３から入力される指示に応じて、被検体ｈが載置される撮影テーブル１３を走査ガントリ１１のＸ線照射空間１１９に対して、搬入および搬出させるための制御信号を、制御インタフェース１２６を介して撮影テーブル１３に出力する。
【００１６】
中央処理装置１２１は、入力装置１２３から入力されるスキャンの開始指示を受けて、回転部１１７を回転させる制御信号を制御インタフェース１２６を介して回転コントローラ１１８に出力し、Ｘ線管１１１からＸ線の照射を行わせる制御信号を、制御インタフェース１２６を介してＸ線コントローラ１１５に出力し、コリメータを制御させる制御信号を制御インタフェース１２６を介してコリメータコントローラ１１６に出力する。
【００１７】
中央処理装置１２１は、データ収集部１１４からデータ収集バッファ１２２を介して入力されたロウデータ（投影データ）を画像再構成装置２に出力する。
また、中央処理装置１２１は、画像再構成装置２が生成した画像（例えば断層画像）を、通信Ｉ／Ｆ１２７に、通信ネット４を介してＣＡＤ３に出力させる。
【００１８】
データ収集バッファ１２２は、データ収集部１１４が出力した検出信号を受信して一時バッファし、中央処理装置１２１に出力する。
入力装置１２３は、オペレータにより状態情報等を中央処理装置１２１に入力するために設けられており、例えばキーボードやマウス等により構成されている。
表示装置１２４は、中央処理装置１２１の制御により、画像再構成装置が生成した再構成画像や、ＣＡＤ３が検出した検出対象の候補領域等や、その他の各種情報を表示する。
【００１９】
記憶装置１２５は、各種データや、再構成画像、およびプログラム等を記憶し、記憶データが必要に応じて中央処理装置１２１によりアクセスされる。
制御インタフェース１２６は、操作コンソール１２と走査ガントリ１１とを接続する。通信インタフェース１２７は、中央処理装置１２１と、通信ネット（ＮＥＴ）１４を介して画像再構成装置２とを接続する。
【００２０】
通信ネット（ＮＥＴ）４は、通信ネットワークであり、例えばルータやハブにより構成されるＬＡＮ（ｌｏｃａｌ  ａｒｅａ  ｎｅｔｗｏｒｋ）である。また通信ネット４はインターネット等の通信ネットワークでもよい。
【００２１】
画像再構成装置２は、中央処理装置１２１から出力された投影データ（スキャンデータとも言う）に基づいて画像再構成処理を行い、各スライス面の断層画像を生成し、生成した断層画像を中央処理装置１２１に出力する。生成した画像は中央処理装置１２１の制御によりＣＡＤ３に出力される。
【００２２】
画像再構成装置２は、例えば図１に示すように、ＣＰＵ２１、記憶部２２等を主構成要素として有する。
記憶部２２は本発明に係る記憶手段に相当する。
【００２３】
ＣＰＵ２１は、例えば中央処理装置１２１から出力された投影データに基づいて画像再構成処理を行い断層画像を生成し、中央処理装置１２１に出力する。
記憶部２２は、複数のプログラムＰＲＧや各種データ等を記憶し、ＣＰＵ２１によりアクセスされる。
例えば、記憶部２２は、投影データを基に、異なる検出対象の形状および性状またはいずれか一方に適した画像処理を行いながら断層画像を再構成する処理内容を含む、複数の画像再構成プログラムを記憶する。
記憶部２２は、例えば詳細には、投影データを基に、異なる検出対象の形状および性状またはいずれか一方を強調した断層画像を再構成する処理内容を含む、複数の画像再構成プログラムを記憶する。
プログラムＰＲＧは、ＣＰＵ２１により実行されることにより、プログラムＰＲＧに含まれる処理内容が実現される。
【００２４】
図２は、図１に示した医療システムの画像再構成装置の機能を説明するための機能ブロック図である。図２を参照しながら画像再構成装置２を詳細に説明する。
記憶部２２は、例えば詳細には図２に示すように、画像再構成プログラムとして、結節用プログラムＰＲＧ＿１、すりガラス陰影（ＧＧＯ：Ｇｒｏｕｎｄ  ｇｌａｓｓ  ｏｐａｃｉｔｙ）用プログラムＰＲＧ＿２、ＸＸ用プログラムＰＲＧ＿３、…等を有する。
【００２５】
結節用プログラムＰＲＧ＿１は、検出対象、例えば病気の種類として結節の結節領域の形状および性状またはいずれか一方を強調する断層画像、結節用画像Ｖ＿１を生成する。例えば、エッジを強調した画像特性の断層画像は結節を検出しやすい。詳細には後述の結節用ＣＡＤ３により結節の特徴量を抽出しやすい。このため例えば結節用プログラムＰＲＧ＿１はエッジ強調用フィルタ処理を行う。
【００２６】
ＧＧＯ用プログラムＰＲＧ＿２は、検出対象、例えば病気の種類として肺癌による、すりガラス陰影（ＧＧＯ）領域の形状および性状またはいずれか一方を強調する画像特性の断層画像、ＧＧＯ用画像Ｖ＿２を生成する。例えば、すりガラス陰影（ＧＧＯ）は断層画像中に、やや灰色の領域として表れる。このためＧＧＯ用プログラムＰＲＧ＿２は、その領域を強調する画像特性の断層画像を生成する。例えばＧＧＯ用プログラムＰＲＧ＿２は、スムージングフィルタＰａｒ＿２処理を行う。
【００２７】
記憶部２２には、その他にも、検出対象として、例えば病気の種類として所定の病気ＸＸＸの検出対象の形状および性状まはたいずれか一方を強調した断層画像を生成する画像再構成プログラムＰＲＧ＿３等を複数有する。
【００２８】
画像再構成装置２のＣＰＵ２１の機能は、例えば図２に示すように、選択部２１１、および再構成部２１２を有する。
選択部２１１は本発明に係る指定手段に相当する。再構成部２１２は本発明に係る画像再構成手段に相当する。
【００２９】
選択部２１１は、記憶部２２に記憶されている複数の画像再構成プログラムから、少なくとも１つの画像再構成プログラムＰＲＧを指定する。複数選択してもよい。
【００３０】
例えば詳細には、選択部２１１は、中央処理装置１２１の制御により表示装置１２４に複数の画像再構成プログラムを選択可能なメニューを含む画像を表示させ、操作コンソール１２の操作者の操作に応じて、そのメニューから少なくとも１つの画像再構成プログラムＰＲＧを指定する信号が入力装置１２３から入力されると、その信号に基づいて画像再構成プログラムＰＲＧを指定する。
また、選択部２１１は、選択したプログラム画像再構成プログラムＰＲＧを、記憶部２２から読出し、再構成部２１２に入力する。
【００３１】
選択部２１１は、例えば中央処理装置１２１からの制御信号により上記選択処理を行ってもよい。
再構成部２１２は、例えば選択部２１１により選択された画像再構成プログラムＰＲＧを実行し、投影データ（スキャンデータとも言う）に基づいて、断層画像を生成し出力する。
【００３２】
再構成部２１２は、例えば詳細には図２に示すように、畳込み積分部２１２１、逆投影部２１２２、およびイメージングフィルタ２１２３等を有する。
畳込み積分部２１２１は、入力された投影データＳＤを、所定の再構成関数ｆ＿２１２１により畳み込み積分処理を行い、その結果を信号Ｓ２１２１として逆投影部２１２２に出力する。例えば、選択部２１１が結節用プログラムＰＲＧ＿１を選択した場合には、再構成関数ｆ＿２１２１は高周波成分を強調しエッジ強調を行うフィルタが設定される。
【００３３】
逆投影部２１２２は、畳み込み積分部２１２１が出力した信号Ｓ２１２１を、所定のパラメータＰａｒ＿２１２２に基づいて逆投影処理を行い、処理結果を信号Ｓ２１２２として出力する。例えば、選択部２１１が結節用プログラムＰＲＧ＿１を選択した場合には、それに応じたパラメータＰａｒ＿２１２２が設定される。
【００３４】
イメージングフィルタ２１２３は、逆投影部２１２２が出力した信号Ｓ２１２２を、所定のフィルタパラメータＰａｒ＿２１２３に基づいてイメージフィルタ処理を行い断層画像を生成し、処理結果を信号Ｓ２１２３として出力する。例えば、選択部２１１が結節用プログラムＰＲＧ＿１を選択した場合には、それに応じたフィルタパラメータＰａｒ＿２１２３、例えばエッジ強調フィルタＰａｒ＿１が設定される。
【００３５】
コンピュー支援診断装置（ＣＡＤ）３は、例えば通信ネット（ＮＥＴ）４を介して入力された、医用画像（断層画像）のうちの検出対象の形状および性状に基づいて、所定のアルゴリズムで検出対象（異常領域）候補を検出し、検出結果を通信ネット４を介して操作コンソール１２に出力する。
【００３６】
ＣＡＤ３は、例えば詳細には、断層画像から検出対象となる領域を抽出し、その領域内で所定のしきい値処理により、画素値の大きい領域を抽出する。そして、抽出した画素値の大きい領域内の画素値に基づいて、病気の種類に応じた特徴量データ、例えば円形度等を演算し、その特徴量データから異常領域候補を特定する。そして、異常領域候補の重心位置を計算して病気の位置を特定する。
【００３７】
ＣＡＤ３は、病気の種類毎に、その病気特有の特徴量データ、例えば検出対象の形状および性状を検出するアルゴリズムを有するＣＡＤを有する。
ＣＡＤ３は、例えば図２に示すように、結節用ＣＡＤ３１、ＧＧＯ用ＣＡＤ３２、およびＸＸ用ＣＡＤ３３等を有する。
【００３８】
結節用ＣＡＤ３１は、例えば画像再構成装置２が再構成した結節用画像Ｖ＿１の画像特性に基づいて、結節を示す特徴量データを演算し、その特徴量データから検出対象としての異常領域候補を特定し、重心位置を計算して検出対象の位置を特定する。
【００３９】
ＧＧＯ用ＣＡＤ３２は、例えば画像再構成装置２が再構成したＧＧＯ用画像Ｖ＿２の画像特性に基づいて、ＧＧＯを示す特徴量データを演算し、その特徴量データから検出対象としての異常領域候補を特定し、重心位置を計算して検出対象の位置を特定する。
また、ＣＡＤ３は、所定の病気ＸＸの検出対象の領域候補を抽出するＸＸ用ＣＡＤ３３等を有する。
【００４０】
図３は、図１に示した画像再構成装置を採用した医療システムのフローチャートである。図３を参照しながら、画像再構成装置２の動作を中心に説明する。
【００４１】
本実施形態では、医用撮像装置としてＣＴ装置１を用いる。ＣＴ装置１において、操作コンソール１２により、走査ガントリ１１中の被検体ｈのＣＴスキャン処理が行われ、投影データ（ロウデータ）ＳＤが出力される。
投影データＳＤが、データ収集バッファ１２２を介して中央処理装置１２１に入力される。中央処理装置１２１では投影データＳＤを画像再構成装置２に出力する。
【００４２】
ステップＳＴ１において、投影データが中央処理装置１２１からＣＰＵ２１に入力される。
ステップＳＴ２において、例えば選択部２１１は、中央処理装置１２１の制御により表示装置１２４に複数の画像再構成プログラムを選択可能なメニューを含む画像を表示させ、例えば操作コンソール１２の操作者による入力装置１２３のマウス等の操作に応じて、そのメニューから少なくとも１つの画像再構成プログラムＰＲＧを指定する信号が入力装置１２３から入力されると、その信号に基づいて画像再構成プログラムＰＲＧを選択する。
【００４３】
ステップＳＴ３において、選択部２１１により選択された画像再構成プログラムＰＲＧ、例えば結節用プログラムＰＲＧ＿１が、記憶部２２からＣＰＵ２１に読み込まれ、再構成部２１２に設定される。
再構成部２１２の各構成要素では、設定されたプログラムＰＲＧに基づいて、投影データＳＤを画像再構成処理を行い、検出対象の形状または性状を強調した断層画像を生成し出力する。
【００４４】
例えば、結節用プログラムＰＲＧ＿１が選択された場合には、畳込み積分部２１２１では、再構成関数ｆ＿２１２１として高周波成分を強調しエッジ強調を行うフィルタが設定されて畳込み積分処理が行われ、逆投影部２１２２では所定のパラメータＰａｒ＿２１２２が設定されて逆投影処理が行われ、イメージングフィルタ２１２３ではフィルタパラメータとしてエッジ強調フィルタＰａｒ＿１が設定されてフィルタ処理が行われ、結節用画像Ｖ＿１が生成される。
【００４５】
また、ＧＧＯ用プログラムＰＲＧ＿２が選択された場合には、畳込み積分部２１２１では、所定の再構成関数ｆ＿２１２１が設定されて畳込み積分処理が行われ、逆投影部２１２２では所定のパラメータＰａｒ＿２１２２が設定されて逆投影処理が行われ、イメージングフィルタ２１２３ではフィルタパラメータとしてスムージングフィルタＰａｒ＿２が設定されてフィルタ処理が行われ、ＧＧＯ用画像Ｖ＿２が生成される。
【００４６】
また、所定の病気ＸＸ用プログラムＰＲＧ＿３等が設定された場合にも、そのプログラムＰＲＧ＿３に応じた処理が行われＸＸ用画像Ｖ＿３が生成される。
画像再構成装置２のＣＰＵ２１では、処理結果の画像Ｖを中央処理装置１２１に出力し、画像Ｖを通信Ｉ／Ｆ１２７，ＮＥＴ４を介してＣＡＤ３に出力する（ＳＴ４）。
【００４７】
詳細には、中央処理装置１２１では、画像Ｖを記憶装置１２５に記憶し、通信Ｉ／Ｆ１２７およびＮＥＴ４を介してＣＡＤ３に出力する。
ＣＡＤ３では、結節用画像Ｖ＿１が入力されると、結節用ＣＡＤ３１により結節用特徴量データが演算され、検出対象として異常領域候補や位置情報が抽出される。また、ＧＧＯ用画像Ｖ＿２が入力されると、ＧＧＯ用ＣＡＤ３２によりＧＧＯ用特徴量データが演算され、検出対象として異常領域候補や位置情報が抽出される。所定の病気ＸＸ用画像Ｖ＿３が入力されると、ＸＸ用ＣＡＤ３３によりＸＸ用特徴量データが演算され、検出対象として異常領域候補や位置情報が抽出される。
【００４８】
以上説明したように、画像再構成装置２には、投影データを基に、異なる検出対象の形状および性状またはいずれか一方に適した画像処理を行いながら、検出対象の形状および性状またはいずれか一方を強調して断層画像を生成する複数の検出プログラムＰＲＧを記憶する記憶部２２と、記憶部２２が記憶する複数の画像再構成プログラムＰＲＧから、少なくとも１つの画像再構成プログラムＰＲＧを選択する選択部２１１と、選択部２１１が選択した画像再構成プログラムＰＲＧを実行し、走査ガントリ１１から出力された被検体ｈの投影データＳＤを用いて、断層画像Ｖを生成する再構成部２１２とを設けたので、検出対象の形状または性状に適した断層画像を生成することができる。
【００４９】
また、病気の種類毎の検出対象に最適化した断層画像Ｖを生成し、ＣＡＤ３に提供することで、ＣＡＤ３での検出対象の検出率を向上させることができる。
また、本実施形態では、エッジを強調した画像特性の結節用画像Ｖ＿１を生成するエッジ強調フィルタを含む結節用プログラムを設けたので、ＣＡＤ３では、結節用画像Ｖ＿１の画像特性に基づいて結節に特有の特徴量データを検出しやすく、検出対象としての結節の異常領域候補の検出率を向上させることができる。
【００５０】
また、本実施形態では、スムージングした画像特性のＧＧＯ用画像Ｖ＿２を生成するスムージングフィルタを含むＧＧＯ用プログラムを設けたので、ＣＡＤ３では、ＧＧＯ用画像Ｖ＿２の画像特性に基づいてＧＧＯに特有の特徴量データを検出しやすく、検出対象としてのＧＧＯの異常領域候補の検出率を向上させることができる。
【００５１】
なお、本発明は本実施の形態に限られるものではなく、任意好適な種々の改変が可能である。
例えば、本実施形態では、医用撮像装置としてＣＴ装置を例示して説明したが、この形態に限られるものではない。例えば、医用撮像装置としては、ＭＲＩ装置でもよいし、超音波撮像装置でもよい。
【００５２】
また、本実施形態では、画像再構成処理を行う画像再構成装置２を医用撮像装置と別体で設けたが、この形態に限られるものではない。例えば、本発明に係る画像再構成処理を、中央処理装置１２１および記憶装置１２５等で実行してもよい。また、本発明に係る画像再構成処理を、例えばＣＡＤ３内の画像再構成部で行ってもよい。
【００５３】
また、本実施形態では、エッジ強調処理は画像再構成部で処理したがこの形態に限られるものではない。例えば画像再構成部の前処理で、投影データに基づいてエッジ強調処理を行ってもよい。
また、エッジ強調処理としては、エッジ強度の閾値、周波数フィルタの周波数特性や、エッジ強調処理を行う処理範囲等を、病気に起因した画像特徴を有するように最適化してもよい。
【００５４】
また、本実施形態では、操作者が操作コンソール１２の入力装置１２３を操作し、入力部１２３からその操作に応じた信号に基づいて記憶部２２に記憶されている複数の画像再構成プログラムのうち、所定の病気に対応した上記プログラムを指定したが、この形態に限られるものではない。選択部が、記憶部に記憶されている複数の画像再構成プログラムのうち、所定の病気に対応した上記プログラムを所定条件、例えば被検体の断層画像の位置情報等に基づいて選択してもよい。
【００５５】
【発明の効果】
本発明によれば、検出対象の形状または性状に適した断層画像を生成することができる画像再構成装置およびＸ線断層画像撮像装置を提供することができる。
【図面の簡単な説明】
【図１】本発明に係る画像再構成装置を採用した医療システムの一実施形態の全体図構成図である。
【図２】図１に示した医療システムの画像再構成装置の機能を説明するための機能ブロック図である。
【図３】図１に示した画像再構成装置を採用した医療システムのフローチャートである。
【符号の説明】
１…ＣＴ装置、２…画像再構成装置、３…ＣＡＤ（コンピュータ支援診断装置）、４…通信ネット（ＮＥＴ）、１１…走査ガントリ、１２…操作コンソール、１３…撮影テーブル、２１…ＣＰＵ、２２…記憶部、１００…医療システム、１１１…Ｘ線管、１１２…コリメータ、１１３…検出器アレイ、１１４…データ収集部、１１５…線コントローラ、１１６…コリメータコントローラ、１１７…回転部、１１８…回転コントローラ、１１９…線照射空間、１２１…中央処理装置、１２２…データ収集バッファ、１２３…入力装置、１２４…表示装置、１２５…記憶装置、１２６…制御インタフェース、１２７…通信インタフェース、２１１…選択部、２１２…再構成部、２１２１…畳込み積分部、２１２２…逆投影部、２１２３…イメージングフィルタ。
【図１】
2004298540.tif 000003
【図２】
2004298540.tif 000004
【図３】
2004298540.tif 000005